(57)【要約】【課題】従来の電子ブック装置において、電子ブックを構成するデータは固定であり、時刻や季節や温度や場所情報等の環境情報に基づいて、ページ内に表示するデータが異なることはなかった。したがって、電子ブックを読んでいる環境（季節など）に合わせた情緒のあるデータ提示ができなかった。【解決手段】本発明は、環境情報に基づいてページ内に表示するデータが異なる電子ブック装置であり、かかる電子ブック装置により、情緒あふれた、興味深い電子ブック装置を提供できる。【選択図】  図３
2004234310.tif 000002
【特許請求の範囲】
【請求項１】
環境情報に基づいてページ内に表示するデータが異なる電子ブック装置。
【請求項２】
前記環境情報は、時刻に関する情報である請求項１記載の電子ブック装置。
【請求項３】
前記環境情報は、季節を示す情報である請求項１記載の電子ブック装置。
【請求項４】
前記環境情報は、温度に関する情報である請求項１記載の電子ブック装置。
【請求項５】
前記環境情報は、電子ブック装置が存在する場所を示す情報である場所情報である請求項１記載の電子ブック装置。
【請求項６】
前記環境情報は、外部から取得した情報である請求項１から請求項５いずれか記載の電子ブック装置。
【請求項７】
データの利用条件を示す情報である利用情報が付与されたデータを表示する電子ブック装置であって、
一の論理的な表示領域に複数の利用情報付きのデータが関連付けられており、前記表示領域のデータを表示する際に、前記利用情報に基づいて、前記複数のデータから一以上のデータを選択して表示する電子ブック装置。
【請求項８】
前記利用情報は、時刻に基づく表示／非表示の制御情報である請求項７記載の電子ブック装置。
【請求項９】
前記利用情報は、季節に基づく表示／非表示の制御情報である請求項７記載の電子ブック装置。
【請求項１０】
コンピュータに、
ユーザの指示を受け付ける入力受付ステップと、
当該指示に基づいて表示するページを決定するステップと、
環境情報を取得するステップと、
当該ページに対応付けられているデータを出力するか否かを前記環境情報と格納されている利用情報に基づいて決定するステップと、
当該決定に基づいてデータを出力するステップを実行させるためのプログラム。
【発明の詳細な説明】
【０００１】
【発明の属する技術分野】
本発明は、電子ブック装置等に関するものである。
【０００２】
【従来の技術】
従来の電子ブック装置は、スイッチの簡単で少ない操作によってしおりページ又はインデックスページを表示させることのできる電子ブック装置であった（特許文献１参照）。本電子ブック装置は、液晶表示画面を備え、記録媒体に記録されているコンテンツを画面に表示する電子ブック装置である。また、使用者は任意のページにしおりを設定することができ、設定されたしおり一覧は第１画面上に表示される電子ブック装置である。また、しおりに対応するしおりページは第２画面上に表示され、このしおりページはスイッチの操作によって順次更新されていく電子ブック装置である。
【０００３】
【特許文献１】
特開２００１−１０１２０２号公報（第１頁、第１図等）
【０００４】
【発明が解決しようとする課題】
しかしながら、従来の電子ブック装置において、以下の課題があった。電子ブックを構成するデータは固定であり、時刻や季節や温度や場所情報等の環境情報に基づいて、ページ内に表示するデータが異なることはなかった。したがって、電子ブックを読んでいる環境（季節など）に合わせた情緒のあるデータ提示ができなかった。
【０００５】
【課題を解決するための手段】
以上の課題を解決するために、本発明は、環境情報に基づいてページ内に表示するデータが異なる電子ブック装置であり、かかる電子ブック装置により、情緒あふれた、興味深い電子ブック装置を提供できる。
【０００６】
【発明の実施の形態】
以下に、本発明の実施の形態について、図面を用いて詳細に説明する。なお、本実施の形態において、同一の符号を用いた構成要素やフローチャートのステップなどは、同じ機能を果たすので、一度説明したものについて説明を省略する場合がある。
【０００７】
図１、図２は、本実施の形態に係る電子ブック装置の外観図である。図１は、電子ブック装置が閉じられている場合の外観図であり、図２は、電子ブック装置が開かれている場合の外観図である。本電子ブック装置は、２つの液晶等の薄型の画面を有し、それぞれ表示するページに対応する。また、電子ブックは、ページめくりボタン２１を保持している。ページめくりボタン２１は、右または左に一時的にスライドまたは回転させることができ、右にスライドまたは回転させると表示されるページが進み（次のページが表示され）、左にスライドまたは回転させると表示されるページが戻る（前のページが表示される）。ただし、電子ブック装置の形状や操作方法は問わない。他の形状や操作方法を有する電子ブック装置でも良い。
【０００８】
図３は、電子ブック装置のブロック図を示す。電子ブック装置は、データ格納部１０１、利用情報格納部１０２、ページ管理部１０３、カレントページ保持部１０４、環境情報取得部１０５、出力制御部１０６、表示部１０７、音出力部１０８、ページめくり入力受付部１０９を具備する。
【０００９】
データ格納部１０１は、ページを構成するデータ（部品）を格納している。データは、静止画、動画、テキスト、音声など、そのデータタイプは問わない。データ格納部１０１は、不揮発性の記録媒体が好適であるが、揮発性の記録媒体でも実現可能である。また、データ格納部１０１は、電子ブック装置の本体部から着脱可能な記録媒体である場合もある。
【００１０】
利用情報格納部１０２は、データ格納部１０１のデータを表示／非表示の制御をするためのルールである利用情報を格納している。利用情報は、ＵｓａｇｅＲｕｌｅとも言う。利用情報格納部１０２は、不揮発性の記録媒体が好適であるが、揮発性の記録媒体でも実現可能である。また、利用情報格納部１０２は、電子ブック装置の本体部から着脱可能な記録媒体である場合もある。
【００１１】
ページ管理部１０３は、電子ブックを構成するページを管理している。具体的には、ページとその中に表示され得るデータの対応に関する情報、およびデータと利用情報との対応に関する情報を保持している。ページ管理部１０３は、不揮発性の記録媒体が好適であるが、揮発性の記録媒体でも実現可能である。また、ページ管理部１０３は、電子ブック装置の本体部から着脱可能な記録媒体である場合もある。なお、データ格納部１０１、利用情報格納部１０２、およびページ管理部１０３は、通常、物理的に一の記録媒体であり、その一の記録媒体が電子ブック装置の本体部から着脱可能な記録媒体である場合もある。
【００１２】
カレントページ保持部１０４は、現在表示中のページを識別するページ番号を示す情報を保持している。カレントページ保持部１０４は、揮発性の記録媒体が好適であるが、不揮発性の記録媒体でも実現可能である。
【００１３】
環境情報取得部１０５は、環境情報を取得する。環境情報は電子ブック装置が存在する環境に関する情報であり、具体的には、時刻や季節や温度や場所などを示す情報である。環境情報取得部１０５は、取得する環境情報によって実現手段が異なる。環境情報取得部１０５は、外部から環境情報を取得する場合は、通信手段等で実現され得る。また、環境情報が時刻や季節などである場合は、環境情報取得部１０５は、例えば、時計である。環境情報が温度である場合は、環境情報取得部１０５は、例えば、温度センサとそのドライバーソフトで実現され得る。さらに具体的には、環境情報取得部１０５は、液晶ディスプレイの表示制御のために液晶ディスプレイが保持する温度センサとそのドライバーソフトで実現され得る。環境情報が場所を示す情報である場合は、環境情報取得部１０５は、例えば、ＧＰＳ受信機や無線タグ（場所の情報が格納されている無線タグ）のリーダーで実現され得る。
【００１４】
出力制御部１０６は、カレントページ保持部１０４のページ番号に対応するページのデータを出力することを表示部１０７や音出力部１０８に指示する。この出力指示は、環境情報取得部１０５が取得した環境情報や利用情報格納部１０２の利用情報等に基づいておこなう。詳細は後述する。出力制御部１０６は、通常、ＭＰＵやメモリ等から実現され得る。出力制御部１０６が出力制御をするための処理手順は、通常、ソフトウェアで実現され、当該ソフトウェアはＲＯＭ等の記録媒体に記録されている。但し、ハードウェア（専用回路）で実現しても良い。
【００１５】
表示部１０７は、出力制御部１０６の出力指示に従って、ページ（ページ内のデータ）を表示する。表示部１０７は、通常、データを表示するデバイスを含む。ただし、外付けの表示デバイスにデータの出力指示をする、と考えても良い。
表示デバイスは、液晶などの薄型のディスプレイが好適である。表示部１０７は、表示デバイスとそのドライバーソフトで実現され得る。
【００１６】
音出力部１０８は、出力制御部１０６の出力指示に従って、表示しているページに対応する（添付されている）音情報が存在する場合に、音出力する。音出力部１０８は、通常、音出力するスピーカーを含む。ただし、音出力部１０８は、スピーカーに音出力の指示をする、と考えても良い。音出力部１０８は、スピーカーとそのドライバーソフトで実現され得る。
【００１７】
ページめくり入力受付部１０９は、ページめくりの指示を受け付ける。ページめくり入力受付部１０９は、例えば、ページめくりのボタンとそのボタンの押下を検知するソフトウェアで実現され得る。
【００１８】
以下、本電子ブック装置の動作について図４のフローチャートを用いて説明する。現在、電子ブック装置は電源オンであり、あるページ（２ページ）を表示している、とする。
【００１９】
（ステップＳ４０１）ページめくり入力受付部１０９は、ページめくりの指示を受け付けたか否かを判断する。ページめくりの指示を受け付ければステップＳ４０２に行き、ページめくりの指示を受け付けなければステップＳ４０１に戻る。
【００２０】
（ステップＳ４０２）カレントページ保持部１０４のカレントページとステップＳ４０１で受け付けたページめくりの指示に基づいて、新しいカレントページを決定する。
【００２１】
（ステップＳ４０３）カレントページ保持部１０４のカレントページの値を、ステップＳ４０２で決定したカレントページの値に更新する。
【００２２】
（ステップＳ４０４）環境情報取得部１０５は、環境情報を取得する。
【００２３】
（ステップＳ４０５）出力制御部１０６は、新しいカレントページで示されるページに貼付されるデータの情報（ページ情報）をページ管理部１０３から取得する。
【００２４】
（ステップＳ４０６）出力制御部１０６は、ステップＳ４０５で取得したデータの数（ｎ）を算出する。
【００２５】
（ステップＳ４０７）カウンタｉに１を代入する。
【００２６】
（ステップＳ４０８）出力制御部１０６は、出力するデータの中に、ｉ番目のデータが存在するか否かを判断する。ｉ番目のデータが存在すればステップＳ４０９に行き、ｉ番目のデータが存在しなければ処理を終了する。
【００２７】
（ステップＳ４０９）出力制御部１０６は、ステップＳ４０４で取得した環境情報と利用情報格納部１０２の利用情報に基づいて、ｉ番目のデータを出力するか否かを判断する。ｉ番目のデータを出力するのであればステップＳ４１０に行き、ｉ番目のデータを出力しないのであればステップＳ４１３に飛ぶ。
【００２８】
（ステップＳ４１０）出力制御部１０６は、ｉ番目のデータをディスプレイに表示するかどうか判断する。この判断は、データのタイプに基づいて行われる。
ｉ番目のデータをディスプレイに表示するのであればステップＳ４１１に行き、ｉ番目のデータをディスプレイに表示しないのであればステップＳ４１４に飛ぶ。
【００２９】
（ステップＳ４１１）出力制御部１０６は、ｉ番目のデータをディスプレイに表示するように、表示部１０７に指示する。
【００３０】
（ステップＳ４１２）表示部１０７は、ｉ番目のデータを表示する。
【００３１】
（ステップＳ４１３）カウンタｉをインクリメントする。ステップＳ４０８に戻る。
【００３２】
（ステップＳ４１４）出力制御部１０６は、ｉ番目のデータをスピーカーに出力するかどうか判断する。この判断は、データのタイプに基づいて行われる。ｉ番目のデータをスピーカーに出力するのであればステップＳ４１５、ｉ番目のデータをスピーカーに出力しないのであればステップＳ４１３に行く。
【００３３】
（ステップＳ４１５）出力制御部１０６は、ｉ番目のデータを出力するように、音出力部１０８に指示する。
【００３４】
（ステップＳ４１６）音出力部１０８は、ｉ番目のデータを出力する。ステップＳ４１３に行く。
【００３５】
以下、本実施の形態における電子ブック装置の具体的な動作について説明する。電子ブック装置の外観図の例は図２である。図２によれば、ページめくりボタン２１が存在する。今、図２に示すように、電子ブック装置は、２つの薄型ディスプレイを具備し、それぞれに１ページ分のデータを表示する。ここでは、電子ブック装置には、３ページ目と４ページ目が表示されている。かかる場合、カレントページは、「３」である、とする。なお、表示されるページは、「カレントページ」と「カレントページ＋１」のページである。
【００３６】
また、電子ブック装置は、図５に示すページ管理表を保持している。ページ管理表は、ページ管理部１０３のページに関する情報と、利用情報格納部１０２の利用情報を格納している。ここでは、利用情報は、データ毎に存在し得る。ただし、利用情報と対応付けられていないデータも存在し得る。ページ管理表は、「ＩＤ」「ページ番号」「データ識別子」「位置（ｘ，ｙ）」「利用情報」を有するレコードを１以上格納している。「ＩＤ」は、レコードを識別する情報であり、表管理上の要請のために存在する。「ページ番号」は、ページの番号を示す。
「データ識別子」は、データを識別する情報である。「位置（ｘ，ｙ）」は、データが出力されるページ上の座標位置を示す。なお、データが音声の場合など、位置を保持しない場合もある。「利用情報」は、データの出力／非出力の制御をするためのルールである。「利用情報」がＮＵＬＬ（空）であるレコードが含むデータ識別子のデータは、環境情報に関係なく、属するページが出力される場合に、常に出力される。なお、ページを構成するデータは、データ格納部に存在する、とする。このデータ格納部のデータは、通信手段や放送受信手段で取得しても良いし、光ディスク等の記録媒体で供給されても良い。
【００３７】
かかる場合の電子ブック装置の動作について説明する。今、電子ブック装置は、本日の天気予報の情報を通信手段により取得できる、とする。かかる場合、環境情報取得部は、例えば、天気予報のＨＰから情報を取得する通信手段である。
そして、現在は、「曇りのち晴れ」の天気予報を取得している、とする。そして、３ページ、４ページを表示している状態が、図２の状態である。
【００３８】
また、例えば、電子ブック装置は、「晴れ」の天気予報を取得した、とする。
かかる場合、図５のページ管理表から「ページ番号＝３」かつ「天気＝’晴れ’」の利用情報に対応する「天気１．ｔｘｔ」のデータ識別子を取得する。そして、電子ブック装置は、「天気１．ｔｘｔ」のデータを位置（０，０）に表示する。
その結果、電子ブック装置は、図６のような表示となる。図６の３ページ目には、「天気１．ｔｘｔ」のデータが出力されている。
【００３９】
次に、ユーザがページめくりボタン２１を右側にスライドした、とする。かかる場合、電子ブック装置は、３ページ、４ページの表示から、５ページ、６ページの表示に切り替える。そして、電子ブック装置は、時計を保持している。また、電子ブック装置は、時計から季節を判断できる、とする。かかり季節を取得する処理は、既存技術であるので説明は省略する。また、電子ブック装置は、温度センサを保持している、とする。当該温度センサを用いて、電子ブック装置は、温度を取得できる。なお、例えば、電子ブック装置のページ表示画面は液晶ディスプレイであり、温度センサは、液晶ディスプレイが保持している温度センサを利用する。
【００４０】
今、時計から時刻が「２００３年１月１７日  １１時４５分」である、とする。そして、電子ブック装置は、「２００３年１月１７日」から季節が「冬」であると判断する。また、電子ブック装置が取得した温度は「１１℃」である、とする。
【００４１】
かかる場合、電子ブック装置は、ページ管理表から以下のデータ識別子を取得する。つまり、５ページのデータ識別子の「雪景色．ｉｍｇ」「文章１．ｔｘｔ」を取得する。また、６ページのデータ識別子の「青．ｂａｃｋ」を取得する。
【００４２】
次に、電子ブック装置は、「雪景色．ｉｍｇ」で識別されるデータをデータ格納部から取り出し、５ページの位置（０，１００）に表示する。また、電子ブック装置は、「文章１．ｔｘｔ」で識別されるデータをデータ格納部から取り出し、５ページの位置（０，０）に表示する。なお、「雪景色．ｉｍｇ」は、雪景色の画像データである。「文章１．ｔｘｔ」は、テキストデータである。
【００４３】
次に、電子ブック装置は、「青．ｂａｃｋ」で識別されるデータをデータ格納部から取り出し、６ページの位置（０，０）に表示する。「青．ｂａｃｋ」は、青色の背景色を有するデータである。以上の表示処理の結果、電子ブック装置の出力は、図７に示すような出力となる。
【００４４】
また、現在の時刻が「２００２年７月１０日  １１時４５分」であり、温度が「２８℃」であれば、５ページに表示されるデータは「雪景色．ｉｍｇ」ではなく、「ビーチ．ｉｍｇ」であり、６ページに表示されるデータは「赤．ｂａｃｋ」となる。かかる場合の電子ブック装置の表示は、図８に示すようになる。
【００４５】
以上、本実施の形態によれば、電子ブック装置は、季節や温度などの環境情報に基づいてページ内に表示するデータが異なり、かかる電子ブック装置により、情緒あふれた、興味深い電子ブック装置を提供できる。また、電子ブック装置は、データの利用条件を示す情報である利用情報が付与されたデータを表示する電子ブック装置であって、一の論理的な表示領域に複数の利用情報付きのデータが関連付けられており、表示領域のデータを表示する際に、利用情報に基づいて、複数のデータから一以上のデータを選択して表示する電子ブック装置であり、かかる電子ブック装置により、既存の著作権保護の仕組みを利用して簡単に、情緒あふれた、興味深い電子ブック装置を提供できる。
【００４６】
なお、本実施の形態によれば、環境情報は、季節や温度に限らず、時刻（早朝、夕方などの概念も含む）、電子ブック装置が存在する位置、場所に関する情報である場所情報でも良い。つまり、例えば、早朝の森の中で見た電子ブックにおいて、さわやかな風の音が出力され、森林の画像情報が表示される。一方、昼間の都心部で見た電子ブックにおいて、ざわざわした雑踏の音が出力され、ビル街の風景が表示される。かかる電子ブック装置により、一つの物語りや詩などの電子ブックでも、電子ブック（読者）が存在する環境により種々の内容の電子ブックを得ることができ、情緒あふれた興味深い電子ブック装置を提供できる。
【００４７】
また、本実施の形態によれば、利用情報は、著作権保護のための、いわゆるＵｓａｇｅＲｕｌｅが主であり、電子ブック装置はかかる利用情報を用いて表示制御を行ったが、他の手段により表示制御を行っても良い。つまり、電子ブック装置は、環境情報に基づいてページ内に表示するデータが異なればよい。
【００４８】
また、本実施の形態において、利用情報の例を示したが、利用情報のデータ構造や記載方法は、上記の例に限らないことは言うまでもない。
また、本実施の形態において、電子ブックを構成するデータは、位置情報を有したが（図５参照）、必ずしも位置情報を有するとは限らない。ページごとにデータを管理している場合など、位置情報が必要でない場合もある。
【００４９】
さらに、本実施の形態における処理は、ソフトウェアで実現しても良い。そして、このソフトウェアをソフトウェアダウンロード等により配布しても良い。また、このソフトウェアをＣＤ−ＲＯＭなどの記録媒体に記録して流布しても良い。なお、本実施の形態における電子ブック装置を実現するソフトウェアは、以下のようなプログラムである。つまり、このプログラムは、コンピュータに、ユーザの指示を受け付ける入力受付ステップと、当該指示に基づいて表示するページを決定するステップと、環境情報を取得するステップと、当該ページに対応付けられているデータを出力するか否かを環境情報と利用情報に基づいて決定するステップと、当該決定に基づいてデータを出力するステップを実行させるためのプログラムである。
【発明の効果】
本発明によれば、環境情報に基づいて出力するデータが異なる、情緒深い電子ブック装置を提供できる。
【図面の簡単な説明】
【図１】実施の形態に係る電子ブック装置の外観図
【図２】実施の形態に係る電子ブック装置の外観図
【図３】実施の形態に係る電子ブック装置のブロック図
【図４】実施の形態に係る電子ブック装置の動作について説明するフローチャート
【図５】実施の形態に係るページ管理表を示す図
【図６】実施の形態に係る電子ブック装置の表示例を示す図
【図７】実施の形態に係る以上  実施の形態に係る電子ブック装置の表示例を示す図
【図８】実施の形態に係る電子ブック装置の表示例を示す図
【符号の説明】
１０１  データ格納部
１０２  利用情報格納部
１０３  ページ管理部
１０４  カレントページ保持部
１０５  環境情報取得部
１０６  出力制御部
１０７  表示部
１０８  音出力部
１０９  入力受付部
【図１】
2004234310.tif 000003
【図２】
2004234310.tif 000004
【図３】
2004234310.tif 000005
【図４】
2004234310.tif 000006
【図５】
2004234310.tif 000007
【図６】
2004234310.tif 000008
【図７】
2004234310.tif 000009
【図８】
2004234310.tif 000010